(57)【要約】【課題】  ハーフミラーから発生するコマ収差等を補正するアナモフィックレンズの横ズレを防止することが出来る光ピックアップ装置を提供する。【解決手段】  信号記録層から反射された戻り光が照射されるとともに対物レンズによるフォーカス制御動作及びトラッキング制御動作を行う制御信号を生成するべく設けられている光検出器へ照射される戻り光の光路内に収差を補正するべく配置されているとともにハウジング１１に設けられている固定用孔１２Ａへ挿入される円筒部１３Ａが形成されているアナモフィックレンズ９において、前記円筒部１３Ａの周縁に圧入用リブ１４を形成し、該円筒部１３Ａを前記固定用孔１２Ａに圧入嵌合させたとき、前記圧入用リブ１４を変形させる。【選択図】  図１
2011165228.tif 000002
【特許請求の範囲】
【請求項１】
レーザーダイオードから放射されたレーザー光を光ディスクに設けられている信号記録層に集光させる対物レンズと、前記信号記録層から反射された戻り光が照射されるとともに前記対物レンズによるフォーカス制御動作及びトラッキング制御動作を行う制御信号を生成するべく設けられている光検出器と、前記光検出器へ照射される戻り光の光路内に収差を補正するべく配置されているとともにハウジングに設けられている固定用孔へ挿入される円筒部が形成されているアナモフィックレンズとより成り、前記円筒部の周縁に圧入用リブを形成し、該円筒部を前記固定用孔に圧入嵌合させたとき、前記圧入用リブを変形させるようにしたことを特徴とする光ピックアップ装置。
【請求項２】
圧入用リブを複数設けたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及している。ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００４】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００５】
斯かるＣＤ規格及びＤＶＤ規格の光ディスクに加えて最近ではＢｌｕ−ｒａｙ規格の光ディスクが普及している。斯かるＢｌｕ−ｒａｙ規格の光ディスクに記録されている信号の読み出し動作を行うレーザー光としては、波長が短いレーザー光、例えば波長が４０５ｎｍの青紫色光が使用されている。
【０００６】
斯かるＢｌｕ−ｒａｙ規格の光ディスクにおける信号記録層の上面に設けられている保護層の厚さは０．１ｍｍであり、この信号記録層から信号の読み出し動作を行うために使用される対物レンズの開口数は０．８５と設定されている。
【０００７】
図７は例えばＢｌｕ−ｒａｙ規格の光ディスクＤに設けられている信号記録層Ｌに記録されている信号の読み出し動作を行う光ピックアップ装置を構成する光学系を示す概略図であり、同図を利用して光ピックアップ装置の構成について説明する。
【０００８】
図７において、１は波長が４０５ｎｍの青紫色光であるレーザー光を放射するレーザーダイオード、２は前記レーザーダイオード１から放射されたレーザー光が入射される位置に設けられている回折格子であり、０次回折光であるメインビームと±１次回折光であるサブビームとを分離生成する作用を成すものである。３は前記回折格子２を透過したレーザー光が入射される１／２波長板であり、前記レーザーダイオード１から放射されるレーザー光の偏光方向をＳ方向又はＰ方向の直線偏光光に調整する作用を成すものである。
【０００９】
４は前記回折格子２及び１／２波長板３を透過したレーザー光が入射される位置に設けられているハーフミラーであり、光ディスクＤ方向へレーザー光を反射させるとともに該光ディスクＤの信号記録層Ｌから反射された戻り光を透過させる制御膜が形成されている。５は前記ハーフミラー４にて反射されたレーザー光が入射される位置に設けられているコリメートレンズであり、入射されるレーザー光を平行光に変換する作用を成すものであ
る。
【００１０】
６は前記コリメートレンズ５にて平行光に変換されたレーザー光が入射されるとともに該レーザー光を反射させる立ち上げミラーであり、光軸の方向を図示したように９０度変更するようにされている。７は前記立ち上げミラー６によって反射されたレーザー光が入射される位置に設けられている１／４波長板であり、前記立ち上げミラー６側から入射されるレーザー光を直線偏光光から円偏光光へ、また反対側から入射されるレーザー光である戻り光を円偏光光から直線偏光光に偏光する作用を成すものである。
【００１１】
８は前記１／４波長板７を透過したレーザー光が照射される位置に設けられている対物レンズであり、光ディスクＤに設けられている信号記録層Ｌにレーザー光を集光させて読み出し動作や記録動作を行うために適した形状のスポットを生成させる作用を成すものである。前記対物レンズ８によって光ディスクＤに設けられている信号記録層Ｌに集光されたレーザー光は、該信号記録層Ｌにて反射されて戻り光として該対物レンズ８に光ディスクＤ側から入射される。
【００１２】
前記対物レンズ８に入射された戻り光は、該対物レンズ８を透過した後１／４波長板７に入射され、該１／４波長板７によって円偏光光から直線偏光光に変換される。このようにして偏光された戻り光は、立ち上げミラー６にて反射された後コリメートレンズ５に入射される。
【００１３】
前記コリメートレンズ５に入射された戻り光は、該コリメートレンズ５を透過してハーフミラー４に入射されるが、このようにしてハーフミラー４に入射される戻り光は、前記１／４波長板７に対する往復透過動作によって直線偏光光の偏光方向が反転されているので、該ハーフミラー４に設けられている制御膜にて反射されることはなく、該制御膜を透過することになる。
【００１４】
前記ハーフミラー４は、透過する戻り光に対してフォーカス制御動作を行うためのフォーカスエラー信号を生成するために非点収差を付加する作用を有するものであるが、その特性からＡＳ収差やコマ収差と呼ばれる収差が発生するという問題がある。９は前記ハーフミラー４を透過した戻り光が入射される位置に設けられているアナモフィックレンズであり、該ハーフミラー４にて生成される非点収差をフォーカスエラー信号の生成動作を行うために適した大きさになるように拡大する作用を成すとともにハーフミラー４にて発生するＡＳ収差やコマ収差を補正する作用を成すように構成されている。
【００１５】
１０は前記アナモフィックレンズ９を透過した戻り光が照射される位置に設けられている光検出器であり、照射されて生成されるスポット形状の変化やスポット位置の変位を利用することによってフォーカス制御動作に使用するフォーカスエラー信号やトラッキング制御動作を行うトラッキングエラー信号を生成するように構成されている。斯かる光検出器より得られる信号を利用して行われるフォーカス制御動作及びトラッキング制御動作は周知であるのでその説明は省略する。
【００１６】
また、前述した光ピックアップ装置に示したようにアナモフィックレンズをハーフミラーと光検出器との間に配置してＡＳ収差やコマ収差等の収差を補正するように構成された技術は特許文献１に記載されている。
【先行技術文献】
【特許文献】
【００１７】
【特許文献１】特開２００６−７９７９７号公報
【発明の概要】
【発明が解決しようとする課題】
【００１８】
前述したように光ピックアップ装置におけるフォーカス制御動作及びトラッキング制御動作は光検出器より得られる信号を利用して行われるため、光検出器１０に対して光ディスクＤの信号記録層Ｌから反射される戻り光を正確に照射させる必要がある。
【００１９】
図５は従来のアナモフィックレンズの固定装置を示す分解斜視図である。同図において、１１は光ピックアップ装置を構成する基台であるハウジングであり、図７に示した光学部品が組み込まれているとともにアナモフィックレンズ９が固定される固定部１２が形成されている。
【００２０】
１３はアナモフィックレンズ９と一体的に成形されているレンズ固定部であり、前記ハウジング１１の固定部１２に形成されている固定用孔１２Ａに挿入される円筒部１３Ａが設けられている。
【００２１】
斯かる構成において、前記アナモフィックレンズ９のハウジング１１への固定動作は、レンズ固定部を図５に示した状態より下方へ変位させることによって行われる。斯かる変位動作を行うと、前記レンズ固定部１３に設けられている円筒部１３Ａがハウジング１１に形成されている固定部１２の固定用孔１２Ａに挿入せしめられ、図６に示す状態になる。
【００２２】
斯かる状態において、レンズ固定部１３の鍔部１３Ｂの下面を固定部１２に接着剤にて接着することによってアナモフィックレンズ９のハウジング１１への固定動作が行われるが、次のような問題が発生している。
【００２３】
固定用孔１２Ａの内径は一般に前記レンズ固定部１３に形成されている円筒部１３Ａの外径よりも大になるように設計されている。従って、固定用孔１２Ａに円筒部１３Ａを挿入させた状態にあるとき、両者の間には極小ではあるが、ギャップが存在する。また、ハウジング１１の材料とアナモフィックレンズ９の材料との間には、熱膨張率に差があるため、光ピックアップ装置による自己発熱や使用環境温度の変化に伴って両者の間に伸縮量の差が発生する。
【００２４】
そして、ハウジング１１にアナモフィックレンズ９を固定するべく使用される接着剤の剛性は、ハウジング１１やアナモフィックレンズ９の剛性より低いという特性がある。斯かる条件において、接着剤のバランスが不均一である場合には、前述したハウジング１１とアナモフィックレンズ９との間の温度変化に対する伸縮量の差に起因してハウジング１１とアナモフィックレンズ９間に相対ズレが発生する。
【００２５】
前述した理由によってハウジング１１とアナモフィックレンズ９間に相対ズレが発生すると、光検出器１０に対する戻り光の照射位置がずれることになり、フォーカス制御動作やトラッキング制御動作を正確に行うことが出来ないという問題が発生することになる。
【００２６】
本発明は、前述した問題を解決することが出来る光ピックアップ装置を提供しようとするものである。
【課題を解決するための手段】
【００２７】
本発明は、レーザーダイオードから放射されたレーザー光を光ディスクに設けられている信号記録層に集光させる対物レンズと、前記信号記録層から反射された戻り光が照射されるとともに前記対物レンズによるフォーカス制御動作及びトラッキング制御動作を行う制御信号を生成するべく設けられている光検出器と、前記光検出器へ照射される戻り光の
光路内に収差を補正するべく配置されているとともにハウジングに設けられている固定用孔へ挿入される円筒部が形成されているアナモフィックレンズを備えた光ピックアップ装置において、前記円筒部の周縁に圧入用リブを形成し、該円筒部を前記固定用孔に圧入嵌合させたとき、前記圧入用リブを変形させるようにしたことを特徴とするものである。
【００２８】
また、本発明は、圧入用リブを複数設けたことを特徴とするものである。
【発明の効果】
【００２９】
本発明は、ハウジングに設けられている固定用孔に挿入される円筒部の周縁に圧入用リブを形成し、円筒部を前記固定用孔に圧入嵌合させたとき、前記圧入用リブを変形させるようにしたので、円筒部と固定用孔との間にギャップが形成されることがなく、アナモフィックレンズの横ズレを防止することが出来る。従って、本発明によれば、戻り光を光検出器に対して正確に照射させることが出来るので、光ピックアップ装置の信頼性を向上させることが出来る。
【図面の簡単な説明】
【００３０】
【図１】本発明に係るアナモフィックレンズの固定装置を示す分解斜視図である。
【図２】本発明に係るアナモフィックレンズの固定装置を示す断面図である。
【図３】本発明に係るアナモフィックレンズの斜視図である。
【図４】本発明に係るアナモフィックレンズの底面図である。
【図５】従来のアナモフィックレンズの固定装置を示す分解斜視図である。
【図６】従来のアナモフィックレンズの固定装置を示す断面図である。
【図７】本発明に係る光ピックアップ装置を構成する概略図である。
【発明を実施するための形態】
【００３１】
光ピックアップ装置におけるフォーカス制御動作を行うためのフォーカスエラー信号及びトラッキング制御動作を行うためのトラッキングエラー信号等を生成するために設けられている光検出器に照射される戻り光に付加される各種の収差を補正するために設けられているアナモフィックレンズの取り付けを正確に行うことが出来る。
【実施例１】
【００３２】
図１は本発明に係るアナモフィックレンズ９の固定装置を示す分解斜視図であり、図５に示した従来例と同一の部材には同一の符号を付している。本発明は、レンズ固定部１３に設けられている円筒部１３Ａの周縁に４つの圧入用リブ１４を形成したことを特徴とするものである。
【００３３】
前記圧入用リブ１４は図４に示す底面図より明らかなようにレンズ固定部１３を構成する円筒部１３Ａの周縁に等角度になるように配置形成されている。また、前記圧入用リブ１４の高さ、即ち径方向へ突出する長さは、円筒部１３Ａをハウジング１１に設けられている固定用孔１２Ａに挿入させると固定用孔１２Ａの内壁に接触し、その接触力によって変形されるように決定されている。
【００３４】
斯かる構成によれば、レンズ固定部１３に形成されている円筒部１３Ａの前記固定用孔１２Ａへの挿入動作は圧入用リブ１４の変形力に抗して行われる、即ち圧入嵌合動作によって行われることになる。従って、レンズ固定部１３の円筒部１３Ａと前記固定用孔１２Ａとの間にギャップが存在することはなく、該円筒部１３Ａは前記固定用孔１２Ａによって強固に保持された状態になる。
【００３５】
このように本発明によれば、レンズ固定部１３の円筒部１３Ａが前記固定用孔１２Ａによって強固に保持された状態になるので、アナモフィックレンズ９の横ズレを確実に防止
することが出来るとともにこの状態にて接着固定することによってハウジングに対するアナモフィックレンズ９の固定動作を正確に行うことが出来る。
【００３６】
尚、本実施例では、レンズ固定部１３の円筒部１３Ａの周縁に４つの圧入用リブを形成するようにしたが、その数は限定されるものではない。
【産業上の利用可能性】
【００３７】
本発明は、Ｂｌｕ−ｒａｙ規格の光ディスクＤに記録されている信号の読み出し動作等を行う光ピックアップ装置に実施することが出来るだけでなく、ＤＶＤ規格やＣＤ規格の光ディスクに使用される光ピックアップ装置に応用することも出来る。
【符号の説明】
【００３８】
１        レーザーダイオード
４        ハーフミラー
５        コリメートレンズ
８        対物レンズ
９        アナモフィックレンズ
１０      光検出器
１１      ハウジング
１２      固定部
１２Ａ    固定用孔
１３      レンズ固定部
１３Ａ    円筒部
１４      圧入用リブ
【図１】
2011165228.tif 000003
【図２】
2011165228.tif 000004
【図３】
2011165228.tif 000005
【図４】
2011165228.tif 000006
【図５】
2011165228.tif 000007
【図６】
2011165228.tif 000008
【図７】
2011165228.tif 000009